(57)【要約】【課題】循環ポンプを備えたものにおいて、効果的な洗浄性能の向上や節水を図る。【解決手段】水槽６内の水を循環ポンプのポンプ作用により循環水路を通して吸入して水杜出口体３２の水吐出口３４から回転ドラム１１内へ吐出させるように構成され、吐出口体３２は、前記水槽カバー８の前面の開口部９近傍における該開口部９の周壁の垂直上側位置よりも周方向にずれた位置に配設され、その水吐出口体３２は、下流側の端部に回転ドラム１１内方向に指向する拡散板部４１を有する導水体３６と、この導水体３６と共同して水案内路４３を形成するの一対の案内壁部を有する案内体３５とから構成され、一対の案内壁部は、前記周方向にずれた水吐出口体３２のそのずれた方向側に位置する案内壁部の内側壁の傾斜角が、他方の案内壁部の内側壁の傾斜角よりも大になるように構成されている。【選択図】図４
2010094227.tif 000002
【特許請求の範囲】
【請求項１】
下部に水排出口を有する貯水が可能な水槽と、
通水が可能な孔を有して前記水槽内に配設され、洗濯物が収容されて駆動手段により回転される回転ドラムと、
前記水槽の前面の開口部近傍における該開口部の周壁の垂直上側位置よりも周方向にずれた位置に配設され、前記回転ドラムの内部に臨む水吐出口を有する水吐出口体と、
一端部が前記水排出口に連通されるとともに他端部が前記水吐出口体に連通された循環水路と、
この循環水路の途中部に設けられ、前記水槽内の水を前記水排出口を通して吸入するとともにその吸入した水を前記水吐出口体の水吐出口から前記回転ドラム内へ拡散吐出させる循環ポンプとを具備し、
前記水吐出口体は、下流側の端部に前記回転ドラム内方向に指向する拡散板部を有する導水体と、この導水体と共同して水案内路を形成する一対の案内壁部を有しその水案内路の下部と前記拡散板部とで前記水吐出口を形成する案内体とから構成され、
前記導水体には、前記案内体の一対の案内壁部の外側壁に当接する位置決め突部が形成され、
前記案内体の一対の案内壁部は、各内側壁が各外側壁に対して対向間隔が下流側に向かうに従って小となるような傾斜を有し、前記周方向にずれた水吐出口体のそのずれた方向側に位置する案内壁部の内側壁の傾斜角が、他方の案内壁部の内側壁の傾斜角よりも大となるように構成されていることを特徴とするドラム式洗濯機。
【請求項２】
水吐出口体は、回転ドラムの内部に臨むシャワー用開口部を有することを特徴とする請求項１記載のドラム式洗濯機。
【請求項３】
水吐出口体は、案内する水を拡散する拡散用突部を有することを特徴とする請求項１記載のドラム式洗濯機。
【発明の詳細な説明】
【技術分野】
【０００１】
本発明は、水槽内の水を循環ポンプのポンプ作用により循環水路を通して吸入して水吐出口から回転ドラム内へ吐出する機能を備えたドラム式洗濯機に関する。
【背景技術】
【０００２】
従来、ドラム式洗濯機においては、洗浄性能の向上や節水を目的として、循環水路及び循環ポンプを備え、洗濯物の洗い時やすすぎ時に、循環ポンプを駆動することで、水槽内の水を循環水路を通して吸入して水吐出口から（回転ドラム内（水槽内）へ吐出させて循環させる構成としたものが考えられている（例えば特許文献１参照）。このものにおいては、水吐出口から回転ドラム内へ吐出された水が、回転ドラム内に収容された洗濯物に掛けられるようになっており、水吐出口は、水槽の前面の開口部近傍に配設されて前記循環水路に連通される水吐出口体に先端出口として形成されている。
【特許文献１】特開２００６−９５０４１号公報
【発明の開示】
【発明が解決しようとする課題】
【０００３】
従来の水吐出口体は、供給される水の圧力が一定であれば、水を水吐出口から設定された一定方向の一定範囲に拡散供給するようになっている。しかしながら、水吐出口体は、水槽の開口部近傍の常に一定位置に配設されるとは限らず、機種によっては、例えば、水槽の開口部の周壁の垂直上側位置（通常位置）よりも周方向にずれた位置に配設されこともある。このような場合には、水吐出口体とともに周方向にずれた水吐出口から吐出される水は、周方向にずれた分だけ偏った方向で偏った範囲に供給されるようになり、効果的な洗浄性能の向上や節水を図ることができなくなる。
【０００４】
本発明は、上記した事情に鑑みてなされたものであり、その目的は、循環ポンプを備えたものにおいて、回転ドラム内に水を吐出させる水突出口体が周方向にずれていても、洗濯物に均等に散水することができて、効果的な洗浄性能の向上や節水を図ることができるドラム式洗濯機を提供することにある。
【課題を解決するための手段】
【０００５】
本発明のドラム式洗濯機は、下部に水排出口を有する貯水が可能な水槽と、通水が可能な孔を有して前記水槽内に配設され、洗濯物が収容されて駆動手段により回転される回転ドラムと、前記水槽の前面の開口部近傍における該開口部の周壁の垂直上側位置よりも周方向にずれた位置に配設され、前記回転ドラムの内部に臨む水吐出口を有する水吐出口体と、一端部が前記水排出口に連通されるとともに他端部が前記水吐出口体に連通された循環水路と、この循環水路の途中部に設けられ、前記水槽内の水を前記水排出口を通して吸入するとともにその吸入した水を前記水吐出口体の水吐出口から前記回転ドラム内へ拡散吐出させる循環ポンプとを具備し、前記水吐出口体は、下流側の端部に前記回転ドラム内方向に指向する拡散板部を有する導水体と、この導水体と共同して水案内路を形成する一対の案内壁部を有しその水案内路の下部と前記拡散板部とで前記水吐出口を形成する案内体とから構成され、前記導水体には、前記案内体の一対の案内壁部の外側壁に当接する位置決め突部が形成され、前記案内体の一対の案内壁部は、各内側壁が各外側壁に対して対向間隔が下流側に向かうに従って小となるような傾斜を有し、前記周方向にずれた水吐出口体のそのずれた方向側に位置する案内壁部の内側壁の傾斜角が、他方の案内壁部の内側壁の傾斜角よりも大となるように構成されていることを特徴とする。
【発明の効果】
【０００６】
本発明のドラム式洗濯機によれば、水吐出口体を構成する前記案内体の一対の案内壁部において、周方向にずれた水吐出口体のそのずれた方向側に位置する案内壁部の内側壁の傾斜角が、他方の案内壁部の傾斜角よりも大となるように構成されているので、水案内路により案内される水の流れは、前記ずれ方向とは反対方向に変更されるようになって、結果的に水吐出口からの偏向された方向及び偏向された範囲の散水が是正され、洗濯物に均等に散水される。また、導水体の位置決め突部が案内体の一対の案内壁部の外側壁に当接するので、導水体が水圧を受けても変動することはない。
【発明を実施するための最良の形態】
【０００７】
（第１の実施例）
以下、本発明の第１の実施例について、図１乃至図８を参照して説明する。
まず、図１及び図２において、外箱１は、矩形状をなしていて、底部に脚部２を有する台板３が設けられている。外箱１の前部（図１の左側）には、洗濯物出入口４が形成されているとともに、この洗濯物出入口４を開閉する扉５が回動可能に設けられている。
【０００８】
外箱１内には、貯水が可能な水槽６が弾性支持機構７を介して配設されている。水槽６は、前面が開放されかつ後面が閉塞された円筒状をなしていて、軸方向が水平方向よりも前上がりの傾斜状態となるように配置されている。この水槽６の前部には、この水槽６の一部を構成する環状の水槽カバー８が装着されている。この水槽カバー８は、図４にも示すように、水槽６の周壁部から中心方向に張り出した第１の張出し部８ａと、この第１の張出し部８ａの先端部から前方へ突出した短円筒状の第１の突出部８ｂと、この第１の突出部８ｂの先端部から中心方向に張り出した第２の張出し部８ｃと、この第２の張出し部８ｃの先端部から前方へ突出した短円筒状の第２の突出部８ｄとを有していて、第２の突出部８ｄの内周部を開口部９としている。この開口部９が、本発明における水槽の前面の開口部に相当する。第２の突出部８ｄの先端部と前記洗濯物出入口４との間には、弾性変形が可能なベローズ１０が設けられていて、このベローズ１０によって水槽６の開口部９と洗濯物出入口４との間が水密かつ気密に接続されている。
【０００９】
水槽６内には、回転ドラム１１が回転可能に配設されている。この回転ドラム１１も、水槽６と同様に、前面が開放されかつ後面が閉塞された円筒状をなしていて、軸方向が水平方向よりも前上がりの傾斜状態となるように配置されている。回転ドラム１１の周壁部には、通水及び通風が可能な多数の孔１２が形成され、周壁部の内面には、バッフル１３が複数個（図１、図２では１個のみ示す）設けられている。回転ドラム１１の前部には、環状をなすバランスリング１４が設けられていて、このバランスリング１４の内周部の開口部１５が、洗濯物出入口４に連通している。そして、回転ドラム１１は、水槽６の背面部に設けられたドラム用モータ１６により直接回転されるようになっている。ドラム用モータ１６は、例えばアウターロータ形のＤＣブラシレスモータにより構成されていて、回転ドラム１１の駆動手段として機能する。回転ドラム１１には、洗濯物出入口４から洗濯物が出し入れ可能に収容される。
【００１０】
水槽６の後部の最下部には、排水口１９が設けられており、この排水口１９に排水管２０の一端部が接続されている。排水口１９は、本発明における水排出口を兼ねている。排水管２０の他端部は、図３にも示すように、リント捕獲部を構成するフィルタユニット２１のフィルタケース２２の入口に接続されている。フィルタケース２２の前部には、フィルタキャップ２３が着脱可能に装着されていて、このフィルタキャップ２３に、図示しないリントフィルタが設けられている。従って、リントフィルタは、フィルタキャップ２３を介してフィルタケース２２に着脱可能に装着されるようになっている。
【００１１】
フィルタユニット２１の下流側には、台板３上に位置させて循環ポンプユニット２５が設けられている。循環ポンプユニット２５の循環ポンプ２６は、ポンプ部２７と、駆動源としてのポンプモータ２８とを備えていて、ポンプ部２７内に設けられた図示しないインペラをポンプモータ２８により回転させることによりポンプ作用を発揮する。ポンプモータ２８には、回転速度の制御が容易なインナーロータ形のＤＣブラシレスモータが用いられている。ポンプモータ２８には、ポンプ部２７とは反対側に位置させて、当該ポンプモータ２８により回転される冷却ファン２８ａが設けられていて、ポンプモータ２８の駆動時にその冷却ファン２８ａによりポンプモータ２８自身を冷却できる構成となっている。
【００１２】
ポンプ部２７の吐出口２７ａ（図１乃至図３参照）には、循環用配管２９の一端部が接続されている。循環用配管２９の他端部は上方へ延びていて、前記水槽カバー８の上部に設けられた継手３０及び接続口部３１（図４及び図５参照）を介して、水吐出口体３２に接続されている。以下、この水吐出口体３２部分の構成について、図４乃至図７も参照して説明する。
【００１３】
前記継手３０は、横向きの円筒状をなす第１の接続部３０ａと下向きの円筒状をなす第２の接続部３０ｂとを一体に有するＬ字形をなしていて、第１の接続部３０ａと第２の接続部３０ｂとは連通されている。そして、前記循環用配管２９の他端部が継手３０の第１の接続部３ａに外側から嵌合して連結され、第２の接続部３０ｂが接続口部３１に外側から嵌合して連結されている。なお、水槽カバー８における第１の突出部８ｂには、循環用配管２９の他端部の近傍に位置させて庫内灯３３が取り付けられている。この庫内灯３３は、回転ドラム１１内を照明するためのものである。
【００１４】
前記接続口部３１は、図４及び図５に示すように、水槽カバー８における開口部９の周壁たる第１の突出部８ｂの外周部に外方に突出するように設けられている。そして、図５に示すように、第１の突出部８ｂの垂直上側位置Ｐａと開口部９の中心とを結ぶ線をＬａとした場合、接続口部３１は、この線Ｌａより所定の角度αだけ周方向の所定方向（図２においては反時計方向、図５においては時計方向）にずれた線Ｌｂ上の位置Ｐｂに位置するように形成されている。前記水吐出口体３２は、後述するように、水槽カバー８における第２の張出し部８ｃの内周面側に接続口部３１と連通して配置されるようになっており、水吐出口３４を有する。従って、水吐出口体３２及びその水吐出口３４も線Ｌｂ上に位置する。
【００１５】
水吐出口体３２は、プラスチック製の案内体３５と、弾力性に富む材料例えばＥＰＤＭ（エチレン−プロピレンゴム）製の導水体３６とから構成されている。案内体３５は、図６に示すように、略矩形板状をなし、正面部に上流側から下流側（図６においては上側から下側）に指向する一対の案内壁部３７、３８を有し、その両側に段付き筒状のねじ挿通孔３５ａ、３５ａを有する。導水体３６は、図７に示すように、略矩形板状をなし、背面部に上流側から下流側（図７においては上側から下側）に指向する一対の位置決め突部３９、４０を有し、その両側にねじ挿通孔３６ａ、３６ａを有し、下流側端部に拡散板部４１を有する。
【００１６】
このように構成された水吐出口体３２は、案内体３５の正面側に導水体３６を配置した状態で前記べローズ１０の奥側に位置させて、ねじ挿通孔３５ａ，３５ａ、３６ａ、３６ａに相通したねじ４２，４２により第２の張出し部８ｃ内周面側に着脱可能に取付けられる。これにより、案内体３５、案内壁部３７、３８及び導水体３６とで接続口部３１に連通する水案内路４３が構成され、この水案内路４３の下部とこれに対応する拡散板部４１とで回転ドラム１１の内部に臨む前記水吐出口３４が構成され、拡散板部４１は回転ドラム１１の内方に指向する。
【００１７】
この場合、図６で示すように、案内体３５の一対の案内壁部３７、３８の外側壁３７ａ、３８ａは、下流側（図６においては下方側）に向かうに従って互いに接近する即ち対向間隔が小となる傾斜状に形成されている。導水体３６の一対の位置決め突部３９、４０は、図７に示すように、案内体３５の案内壁部３７、３８の外側壁３７ａ、３８ａと同様に下流側（図７においては下方側）に向かうに従って互いに接近する傾斜状に形成されていて、その案内壁部３７、３８の外側壁３７ａ、３８ａに当接するようになっている。
【００１８】
案内体３５の一対の位置決め突部３９、４０は、図６に示すように、内側壁３７ｂ、３８ｂが下流側（図６においては下方側）に向かうに従って互いに接近する即ち対向間隔が小となる傾斜状に形成されていて、全体として、正面視で縦長な略三角形状に形成され、各内側壁３７ｂ、３８ｂが各外側壁３７ａ、３８ａに対して傾斜を有する。この場合、一対の案内壁部３７、３８のうちの周方向側にずれた接続口部３１のそのずれた方向側に位置する案内壁部３７の内側壁３７ｂの傾斜角は、他方の案内壁部３８の内側壁３８ｂの傾斜角よりも大きくなるように設定されている。即ち、一方の案内壁部３７の厚み寸法が下流側に向かうに従って案内壁部３８のそれよりも大になるように設定されている。
【００１９】
図３に示すように、前記循環ポンプユニット２５の下流側には、接続パイプ４５を介して排水弁４６が接続され、この排水弁４６に排水ホース４７が接続されている。ここで、排水管２０と、フィルタユニット２１のフィルタケース２２と、循環ポンプユニット２５のポンプ部２７と、循環用配管２９と、継手３０と、接続口部３１とにより、循環水路４８が構成されている。また、この循環水路４８と、循環ポンプユニット２５と、水吐出口体３２（水吐出口３４）とにより、循環散水装置４９が構成されている。
【００２０】
この場合、排水弁４６を閉鎖した状態で、水槽６内に水が供給されると、その水は、排水口１９、排水管２０、フィルタケース２２、循環ポンプユニット２５のポンプ部２７、接続パイプ４５を通して排水弁４６の手前まで浸入して貯留される。それ以上に供給された水は、水槽６内に貯留される。この状態で、循環ポンプ２６のポンプモータ２８が駆動されると、循環ポンプ２６のポンプ作用により、水槽６内の水が排水管２０、フィルタケース２２を通してポンプ部２７内に吸入されるとともに、ポンプ部２７内の水が吐出口２７ａから循環用配管２９側へ吐出され、当該循環用配管２９、継手３０、接続口部３１、水吐出口体３２の水案内路４３を通り、水吐出口３４から回転ドラム１１内、ひいては水槽６内へ吐出されるようになり、これにより水槽６内の水が循環水路４８を通して循環されるようになる（図１及び図２の矢印Ａ参照）。
【００２１】
また、水槽６内に水が貯留された状態で、排水弁４６が開放されると、水槽６内の水は、排水口１９から、排水管２０、フィルタケース２２、循環ポンプユニット２５のポンプ部２７、接続パイプ４５、排水弁４６、排水ホース４７を通して機外へ排出される。
【００２２】
図２に示すように、水槽カバー８における第１の突出部８ｂにおける左側の外周部には、上下方向の中央部よりやや下部側に位置させて溢水口５０が設けられており、この溢水口５０に、溢水管５１の上端部が接続されている。溢水管５１の下端部は、排水ホース４７の排水弁４６寄りの部位に接続されている。従って、水槽６内の水が溢水口５０を越えると、その水は、溢水口５０から溢水管５１、排水ホース４７を通して機外へ排出される。
【００２３】
外箱１の前面の上部には、図２に示すように、操作部５５や表示部（図示せず）が設けられた操作パネル５６が設けられ、操作パネル５６の裏側には、マイクロコンピュータを含む制御手段としての制御装置５７（図１参照）が設けられている。外箱１内の上部の後部には給水弁５８が設けられ、前部には給水ケース５９が設けられていて、給水弁５８の出口が給水管６０を介して給水ケース５９に接続されている。給水弁５８の入水口５８ａには、図示はしないが、水道の蛇口に接続されたホースが接続される。給水ケース５９内には、洗剤が投入される。給水ケース５９の下部は、給水ホース６１を介して水槽６の上部に設けられた給水口６２に接続されている。
【００２４】
この場合、給水弁５８が開放されると、水道水が給水管６０を介して給水ケース５９に供給され、その水は、給水ケース５９内に投入された洗剤とともに給水ホース６１を介して水槽６内、ひいては回転ドラム１１内に供給される。
【００２５】
前記制御装置５７には、操作パネル５６に設けられた操作部５５、水槽６内の水位を検出する水位センサ（図示せず）、ドラム用モータ１６の回転速度を検出する回転センサ（図示せず）、ポンプモータ２８の回転速度を検出する回転センサ（図示せず）などからの信号が入力される。回転センサは、例えばホール素子からなる。制御装置５７は、これらの入力信号と、予め備えた制御プログラムに基づき、操作パネル５６に設けられた表示部、給水弁５８、ドラム用モータ１６、循環ポンプ２６のポンプモータ２８、排水弁４６などを制御する機能を備えている。
【００２６】
次に、上記構成の作用を図８をも参照して説明する。
洗濯を行なう場合、まず、使用者は、扉５を開けて、図示しない洗濯物を洗濯物出入口４から回転ドラム１１内に投入し、また、給水ケース５９内に必要な洗剤、例えば粉洗剤を投入する。そして、扉５を閉じた状態で、操作パネル５６の操作部５５を操作して運転条件を設定し、運転をスタートさせると、制御装置５７は、予め記憶した制御プログラムに基づき洗濯運転を開始する。
【００２７】
制御装置５７は、まず、回転ドラム１１内に収容された洗濯物の量（重量）を検知する。洗濯物量の検知は、例えば次のように行なう。ドラム用モータ１６を予め設定された一定の電力で一定時間だけ一方向へ回転させることにより回転ドラム１１を回転させ、その回転速度を回転センサにより検出し、その回転速度の変動度合によって洗濯物の量を、例えば、大容量、中容量、小容量の３段階で判定する。制御装置５７は、洗濯物の量に応じて水位を決定する。
【００２８】
次に、制御装置５７は、排水弁４６を閉鎖した状態で、給水弁５８を開放させることにより水槽６ひいては回転ドラム１１への給水を行なう。給水弁５８が開放されると、前述したように、水道水が給水管６０を介して給水ケース５９に供給され、その水は、給水ケース５９内に投入された洗剤とともに給水ホース６１を介して水槽６内、ひいては回転ドラム１１内に供給される。水槽６内の水位を水位センサにより検出し、設定水位に達したら給水弁５８を閉鎖する。
【００２９】
給水が完了すると、制御装置５７は、次に洗い行程を実行する。洗い行程では、回転ドラム１１をドラム用モータ１６により、例えば５０〜６０ｒｐｍの回転速度で正逆両方向に交互に回転させる。これにより、回転ドラム１１内の洗濯物がバッフル１３により掻き揚げられては落下することを繰り返し、洗濯物が洗われる。
【００３０】
また、制御装置５７は、この洗い行程において、回転ドラム１１の回転とともに、循環ポンプ２６のポンプモータ２８も駆動制御する。ポンプモータ２８が駆動されると、ポンプ部２７内のインペラが回転し、このインペラの回転によるポンプ作用により、前述したように、水槽６内の水が排水管２０、フィルタケース２２を通してポンプ部２７内に吸入されるとともに、ポンプ部２７内の水が吐出口２７ａから循環用配管２９側へ吐出され、当該循環用配管２９、継手３０、接続口部３１、水吐出口体３２の水案内路４３を通り、水吐出口３４から回転ドラム１１内、ひいては水槽６内へ吐出されるようになり、これにより水槽６内の水が循環水路４８を通して循環されるようになる（図１及び図２の矢印Ａ参照）。
【００３１】
この場合、ポンプモータ２８の駆動により水吐出口体３２、１００の水吐出口３４、１０１から吐出される水は、図８に二点鎖線で示すように、回転ドラム１１内の後部に向けて拡散するように供給される。
【００３２】
図８（ａ）は、従来の水吐出口体１００及び水吐出口１０１が線Ｌａ上に位置する例である（中心線をＬａｏで示す）。この場合は、水吐出口１０１からの水は中心線Ｌａｏを中心として左右に均等な範囲Ｒ１に拡散供給される。
【００３３】
図８（ｂ）は、従来の水吐出口体１００及び水吐出口１０１が、本実施例と同様に、線Ｌａより角度αだけずれた線Ｌｂ上に位置する例である（中心線をＬｂｏで示す）。この場合は、水吐出口１０１からの水は、中心線Ｌｂｏを中心として左右に均等な範囲Ｒ２に拡散供給されるので、本来供給すべき中心線Ｌａｏから大きくずれて偏った散水状態になり、回転ドラム１１内の洗濯物に均等に散水することができない。
【００３４】
図８（ｃ）は、線Ｌｂ上に位置する本実施例の水吐出口体３２及び水吐出口３４の場合であり、水が拡散供給される範囲をＲ３で示す。即ち、接続口部３１から水吐出口体３２に供給された水は、案内壁部３７、３８の傾斜面をなす内側壁３７ｂ，３８ｂにより圧力が高められた上で、拡散板部４１に衝突して回転ドラム１１内方に噴射される。この特、水案内路４３により案内される水は、案内壁部３７の内側壁３７ｂの傾斜角が案内壁部３８の内側壁３８ｂの傾斜角よりも大で内側壁３７ｂが右方向に大きく傾斜していることから、流下しながら右方向に大きく方向が変更されるようになり、拡散板部４１に衝突して回転ドラム１１内に散水されると、噴射拡散される範囲がＲ３で示すように右方向に変更され、図８（ｂ）に示すように偏向された方向及び範囲が是正され、結果的に回転ドラム１１内の洗濯物に均等に散水される。
【００３５】
この場合、ポンプモータ２８を間欠駆動すると、吐出される水の水圧が変化し、水を回転ドラム１１内の洗濯物に極力まんべんなく掛けることが可能になり、洗浄性能を一層向上できる。また、ポンプモータ２８の回転速度を必要以上に高くすると、洗剤による泡立ちが多くなり、循環ポンプ２６にエアがみが発生し易くなるおそれがあるため、必要以上に高くしないことが好ましい。
【００３６】
この洗い行程において、ポンプモータ２８の回転速度を、複数段階に変化させることもできる。このようにした場合には、水吐出口３４から吐出される水の散水場所及び散水範囲も複数段階に変化させることができ、水を回転ドラム１１内の洗濯物に一層まんべんなく掛けることが可能になり、洗浄性能を一層向上できる。
【００３７】
洗い行程の設定時間が経過したら、制御装置５７は、回転ドラム１１の回転を停止させるとともに、循環ポンプ２６の運転も停止させる。この後、排水弁４６を開放させることで、水槽６内の水を機外へ排出する。排水が終わったら、排水弁４６を閉鎖した状態で、給水弁５８を開放させることで、水道水を水槽６内に供給し、設定水位まで貯留する。
【００３８】
この後、制御装置５７は、すすぎ行程を行なう。すすぎ行程では、洗い行程と同様に、ドラム用モータ１６により回転ドラム１１を５０〜６０ｒｐｍの回転速度で正逆両方向に交互に回転させるとともに、循環ポンプ２６のポンプモータ２８を駆動制御する。このすすぎ行程では、ポンプモータ２８を、洗い行程時の回転速度よりも高い回転速度で駆動し、水吐出口３４から吐出される水の拡散範囲を洗い行程の場合よりも広くする。このすすぎ行程においても、ポンプモータ２８を間欠駆動してもよいし、ポンプモータ２８の回転速度を、複数段階に変化させることもできる。
【００３９】
すすぎ行程が終了したならば、排水後、脱水行程を行なう。脱水行程は、ドラム用モータ１６により回転ドラム１１を一方向へ高速度で回転させることにより、洗濯物を遠心脱水する。以上により、洗濯運転を終了する。
【００４０】
このように、本実施例によれば、水吐出口体３２は、水槽カバー８（水槽６）の前面の開口部９近傍における該開口部９の周壁の垂直上側位置Ｐａよりも正面視で反時計方向（左方向）の周方向にずれた位置に配設され、その水吐出口体３２は、下流側の端部に回転ドラム１１内方向に指向する拡散板部４１を有する導水体３６と、この導水体３６と共同して水案内路４３を形成する一対の案内壁部３７、３８を有しその水案内路４３の下部と前記拡散板部４１とで水吐出口３４を形成する案内体３５とから構成され、前記案内体３５の一対の案内壁部３７、３８は、前記周方向にずれた水吐出口体３２のそのずれた左方向側に位置する案内壁部３７の内側壁３７ｂの傾斜角が、他方の案内壁部３８の内側壁３８ｂの傾斜角よりも大となるように構成されている。
【００４１】
従って、水槽カバー８に形成された接続口部３１に連通される水吐出口体３２が開口部９近傍における該開口部９の周壁の垂直上側位置Ｐａよりも正面視で反時計方向（左方向）の周方向にずれた位置に配設されても、水案内路４３により案内される水は、案内壁部３７、３８の内側壁３７ｂ、３８ｂより流下しながら右方向に大きく方向が変更されるようになり、拡散板部４１に衝突して回転ドラム１１内に噴射散水されると、散水範囲がＲ３（図８（ｃ）参照）で示すように右方向に変更され、回転ドラム１１内の洗濯物に均等に散水される。従って、洗濯物の洗浄性能の向上や節水を効果的に図ることができる。また、導水体３６の位置決め突部３９、４０が案内体３５の一対の案内壁部３７、３８の外側壁３７ａ、３８ａに当接するので、導水体３６が水圧を受けても変動することはない。
【００４２】
ところで、水吐出口体は、機種によって取付け位置がそのときの他の部品との関係で設計変更される。例えば、水吐出口体の取付け位置が本実施例の水吐出口体３２とは反対側（左側）に変更される場合には、案内体３５の案内壁部３７、３８を左右入換えた状態の一対の案内壁部を有する案内体と前述の導水体３６（共通の導水体）とを組合せた水吐出口体を用いることにより対処できる。即ち、水吐出口体の配設位置が変更される場合には、その変更に応じた傾斜を形成した一対の案内壁部を有する案内体と前述の導水体３６（共通の導水体）とを組合せた水吐出口体を用いることにより対処できる。
【００４３】
（第２の実施例）
図９及び図１０は、本発明の第２の実施例を示したもので、前記第１の実施例と同一部分には同一符号を付して示す。
【００４４】
この第２の実施例においては、水吐出口体３２を構成する案内体３５の下流側端部に、回転ドラム１１の前部に設けられたバランスリング１４の開口部１５に臨むシャワー用開口部７０が形成されており、このシャワー用開口部７０は、多数の小孔７０ａで構成されている。
【００４５】
而して、接続口部３１からの水は、水案内路４３により水吐出口３４方向に案内されるが、その一部はシャワー用開口部７０を構成する多数の小孔７０ａから開口部１５方向に拡散噴射され、従って、回転ドラム１１内の前部にシャワー状に給水が行なわれる。なお、水吐出口３４の作用は、第１の実施例と同様である。
【００４６】
この第２の実施例によれば、回転ドラム１１内に、水吐出口体３２の水吐出口３４による拡散給水とシャワー用開口部７０によるシャワー状給水とを同時に行なうことができるので、洗浄性能を一層向上させることができる。
【００４７】
（第３の実施例）
図１１は本発明の第３の実施例を示し、第２の実施例と異なるところは、案内体３５に、シャワー用開口部７０の代わりに、案内壁部３７、３８間に位置して複数個例えば２個の拡散用突部８０、８１が形成されており、これらの拡散用突部８０、８１は、下流側に向かうに従って互いに離間する傾斜状に形成されている。
【００４８】
而して、水案内路４３（図４参照）により案内される水のうち拡散用突部８０、８１間で案内される水は、流下するに従って拡散されるので、第２の実施例と同様にシャワー状給水となり、従って、この第３の実施例によっても第２の実施例同様の効果を得ることができる。
【００４９】
なお、本発明は上記しかつ図面に示す実施例に限定されるものではなく、以下のような変形、拡張が可能である。
上記各実施例では、案内体３５に、外側壁３７ａ、３８ａと内側壁３７ｂ、３８ｂとの間の厚み寸次法が順次変化する一対の案内壁部３７、３８を設けるようにしたが、代わりに、外側壁３７ａ、３８ａと内側壁３７ｂ、３８ｂとの間が空間になる二重壁構造の一対の案内壁部を設けるようにしてもよい。
【００５０】
ポンプモータ２８は、回転速度の制御が容易なブラシレスモータを用いなくても、通常のコンデンサモータを用いてもよい。
フィルタユニット２１は、必要に応じて設ければよい。
【００５１】
乾燥機能を有するドラム式洗濯機に適用してもよい。この場合には、回転ドラム内に温風を供給する温風供給装置は、循環水路４８と競合しない外箱１の上部に配設するとよい。
【図面の簡単な説明】
【００５２】
【図１】本発明の第１の実施例を示すドラム式洗濯機の縦断側面図
【図２】破断斜視図
【図３】台板とリントフィルタユニット及び循環ポンプユニット部分の斜視図
【図４】要部の縦断側面図
【図５】図４のＸ−Ｘ線方向から視た水吐出口体部分の背面図
【図６】水吐出口体の案内体の正面側からの斜視図
【図７】水吐出口体の導水体の背面側からの斜視図
【図８】水吐出口から吐出される水の拡散範囲を示す図
【図９】本発明の第２の実施例を示す図４相当図
【図１０】図６相当図
【図１１】本発明の第３の実施例を示す図６相当図
【符号の説明】
【００５３】
図面中、１は外箱、６は水槽、８は水槽カバー（水槽の一部）、９は開口部、１１は回転ドラム、１２は孔、１６はドラム用モータ（駆動手段）、１９は排水口（水排出口）、２５は循環ポンプユニット、２６は循環ポンプ、２８はポンプモータ、２９は循環用配管、３０は継手、３１は接続口部、３２は水吐出口体、３４は水吐出口、３５は案内体、３６は導水体、３７及び３８は案内壁部、３７ａ及び３８ａは外側壁、３７ｂ及び３８ｂは内側壁、３９及び４０は位置決め突部、４１は拡散板部、４３は水案内路、４８は循環水路、５７は制御装置、７０はシャワー用開口部、７０ａは小孔、８０及び８１拡散用突部を示す。
【図１】
2010094227.tif 000003
【図２】
2010094227.tif 000004
【図３】
2010094227.tif 000005
【図４】
2010094227.tif 000006
【図５】
2010094227.tif 000007
【図６】
2010094227.tif 000008
【図７】
2010094227.tif 000009
【図８】
2010094227.tif 000010
【図９】
2010094227.tif 000011
【図１０】
2010094227.tif 000012
【図１１】
2010094227.tif 000013